(57)【要約】【課題】視覚的に着用者の尊厳を守り、自立意欲高めるパンツ型吸収性物品を提供する。【解決手段】紙おむつの吸収体本体の支持部材である内外装シートに特定の条件で着色を施すことを特徴とする。【選択図】図１
2012170577.tif 000002
【特許請求の範囲】
【請求項１】
液透過性のトップシートと、液不透過性のバックシートと、前記トップシートと前記バックシートの間に配置される吸収体とを備え、前記トップシートを着用者側に向けて該着用者の股間部を前後から覆う吸収本体部と、前記バックシートの幅方向両側縁の外側から前記トップシートの上に立ち上がるサイドシートと、前記バックシートの外側で前記本体部に重なりつつ該本体部の周囲に延び、着用者の腹側で腰及び股間部を覆う前側領域と、着用者の背側で腰及び股間部を覆う後側領域とを備え、伸縮性の腰部開口と一対の脚部開口とを形成する内外装シートとを有するパンツ型吸収性物品であって、前記内装シート、外装シートのいずれか一つまたはいずれもについて、略全域に着色が施され、着色のＬ*ａ*ｂ*表色系Ｌ値が７０以下である前記パンツ型吸収性物品。
【請求項２】
着色のＬ*ａ*ｂ*表色系Ｌ値が４０以下で、ａ*値及びｂ*値が±５未満である請求項１記載のパンツ型吸収性物品。
【請求項３】
着色のＬ*ａ*ｂ*表色系Ｌ値が４０〜２０で、a*値０〜＋３、b*値−１０〜−２０である請求項１記載のパンツ型吸収性物品。
【請求項４】
着色のＬ*ａ*ｂ*表色系Ｌ値がＬ値５０〜５５、a*値＋５〜＋１５、b*値−１５〜−１０である請求項１記載のパンツ型吸収性物品。
【請求項５】
着色のＬ*ａ*ｂ*表色系Ｌ値が５５〜６０、a*値０〜＋５、b*値が＋１０〜＋１５である請求項１記載のパンツ型吸収性物品。
【請求項６】
着色のＬ*ａ*ｂ*表色系Ｌ値が３０以下a*値が−１０以下b*値が−５〜＋５である請求項１記載のパンツ型吸収性物品。
【発明の詳細な説明】
【技術分野】
【０００１】
この発明は、使い捨てのパンツ型吸収性物品に関する。
【背景技術】
【０００２】
従来、幼児、成人、及び病人の排せつ物を吸収するため、パンツ型の紙おむつ（吸収性物品）が使用されている。パンツ型紙おむつは、排せつ物を吸収する吸収体本体と、その支持部材である内外装シートからなり、吸収体本体、内外装シートともに衛生的な視覚に基づいた白色系素材、あるいは薄く着色した素材が用いられている。この中で、外観あるいは見栄えを工夫したものとして、伸縮性部材のポリウレタン系エラストマーの黄変をマスキングするために、外層シートをベージュ色に着色する技術が特許文献１に開示されており、また、特許文献２には、湿潤状態により、色濃度が漸次的に変化するものが開示されている。また、特許文献３、４には、紙おむつのバックシートあるいは外装シートにカラーデザインが施されたものが開示されている。
【先行技術文献】
【特許文献】
【０００３】
【特許文献１】特開2007-312927号公報
【特許文献２】特表2005-505382号公報
【特許文献３】特開2003-70838号公報
【特許文献４】特開2010-279716号公報
【発明の概要】
【発明が解決しようとする課題】
【０００４】
しかしながら、着色あるいはカラーデザインの目的が黄変のマスキング、あるいは湿潤の認知であり、あるいは乳幼児用のおむつの見栄えであり、吸収された滲出物の隠蔽であり、大人用おむつとして人格ある自立への意欲を刺激することを目的としたものではない。
【０００５】
本発明は、視覚的に着用者の尊厳を守り、自立意欲を高めるパンツ型吸収性物品の提供を目的とする。
【課題を解決するための手段】
【０００６】
本発明のパンツ型吸収性物品は、紙おむつの吸収体本体の支持部材である内装シート及びまたは外装シートに着色を施すが、その着色を工夫することで、着用者が下着と同様の感覚で使用できるものである。
パンツ型吸収性物品を使用している人のアンケート調査結果から、従来の白色系を基調とするもの、あるいは薄いブルーまたはグリーンやピンクに着色したものは、如何にも紙おむつであり、介助・介護のイメージが強く働き使用に抵抗を感じる。また、着用しての外出機会が減る等で自立への意欲がそがれることが判明した。本発明では、視覚的領域においてパンツ型吸収性物品の着用者に対し、使用への抵抗を和らげ、安心感と自信を与えることを見出した。本発明は内外装シートを特定の色調に着色することを特徴とする。  Ｌ*ａ*ｂ*表色系の明度を示すＬ値が７０以下であれば、明るい白色系あるいは淡色系の色合いとは異なり落ち着いた色合いとなる。高齢者向けのパンツ型吸収性物品の場合はＬ値６０以下がより落ち着いた色合いとして好まれる。a*値は＋が赤、−が補色の緑を示し、b*値は＋が黄色、−が補色の青を示しそれぞれ絶対値が大きいほど強い色（彩度が高い）となる。黒色系ではＬ値が２５以下、グレー色系ではＬ値２６〜４０が望ましくa*値、b*値はいずれも±１の範囲が好ましい。紺色系ではＬ値２０〜４０で、a*値０〜＋３、b*値−１０〜−２０が好ましい。紫色系ではＬ値５０〜５５、a*値＋５〜＋１５、b*値−１５〜−１０が好まれ、ベージュ色系ではＬ値５５〜６０、a*値０〜＋５、b*値が＋１０〜＋１５が好ましい。緑色系であればＬ値が３０以下a*値が−１０以下b*値が−５〜＋５が望ましい。
【０００７】
内外装シートの素材は、ポリオレフィン系繊維による、スパンボンドまたはエアースルーまたはポイントボンド製法による不織布が好ましい。これらは、ポリオレフィン系のフィルムに比べて、風合いが布風であり、肌さわりが良く、また、着用時の摩擦音が小さいのでより安心して使用できる。不織布の目付けは１５ｇ/ｍ2から３０ｇ/ｍ2が好ましい。バックシートに着色や印刷の必要はないが、着色、印刷をしてもよい。
【０００８】
不織布への着色は不織布繊維製造時にポリマーに着色剤たとえば、染料、有機顔料，無機顔料が、熱可塑性材料が溶融する前に、あるいは、溶融された後不織布ウェブが形成される前に添加によって行われる。または、不織布ウェブに凸版印刷、グラビア印刷、スクリーン印刷などによって適宜着色用インキを全面印刷することでもよい。
【発明の効果】
【０００９】
この発明によれば、内外装シートに着色処理することで、パンツ型吸収性物品が下着と類似する外観を有することから、着用への抵抗が和らぎ、自立への意欲と尊厳が高められる。
【図面の簡単な説明】
【００１０】
【図１】本発明の第１の実施形態に係るパンツ型吸収性物品の外観を示す斜視図である。
【図２】本発明のパンツ型吸収性物品の断面図である。
【発明を実施するための形態】
【００１１】
以下、本発明の実施形態に係るパンツ型吸収性物品について説明する。
図１は、本発明の第１の実施形態に係るパンツ型吸収性物品１００の外観を示す斜視図であり、図２は本発明のパンツ型吸収性物品の断面図である。
【００１２】
本発明では紙おむつの吸収体本体の支持部材である内外装シートに特定の条件で着色を施すことを特徴とする。着色部位はパンツ型吸収物品の支持部材である内外装シートの略全面であり、吸収体本体のトップシート（肌に接する部分）、キャリアシート（吸収体を包む部分）、吸収体構成物（フラッフパルプ、高吸水性ポリマー）は着色をしない。また、バックシート（不透液性のシート）、立体ギャザー部位については、特に着色の必要はないが、着色若しくは印刷を施しても良い。特に、内外装シートの目付けが２０ｇ/ｍ2未満の場合は、裏抜けによりバックシートあるいは、立体ギャザーの色が透けて見えることがあるから、類似色の着色が好ましい。
【００１３】
本発明によるパンツ型吸収性物品の内外装シートへの着色はＬ*ａ*ｂ*表色系の明度を示すＬ値が７０以下望ましくはＬ値６０以下である。明るい白色系あるいは淡色系の色合いとは異なり落ち着いた色合いとなり、高齢者向けのパンツ型吸収性物品に好まれる。a*値は＋が赤、−が補色の緑を示し、b*値は＋が黄色、−が補色の青を示しそれぞれ絶対値が大きいほど強い色（彩度が高い）となる。着色カラーを黒色系、グレー色系、紺色系、紫色系、ベージュ色系、緑色系について例示すると次ぎのようになる。
【００１４】
黒色系ではＬ値が２５以下、グレー色系ではＬ値２６〜４０が望ましくa*値、b*値はいずれも±1の範囲が好ましい。紺色系ではＬ値２０〜４０で、a*値０〜＋３、b*値−１０〜−２０が好ましい。紫色系ではＬ値５０〜５５、a*値＋５〜＋１５、b*値−１５〜−１０が好まれ、ベージュ色系ではＬ値５５〜６０、a*値０〜＋５、b*値が＋１０〜＋１５が好ましい。緑色系であればＬ値が３０以下a*値が−１０以下b*値が−５〜＋５が望ましい。
【００１５】
内外装シートの素材は、ポリオレフィン系繊維あるいはポリエステル系繊維による、スパンボンドまたはエアースルーまたはポイントボンド製法による不織布を用いることができるが、その複合体であっても良い。不織布は、フィルム体に比べて、布に近い風合いであり、肌さわりが良く、着用時の摩擦音が小さいのでより違和感が少ない。不織布の目付けは２０ｇ/ｍ2から30ｇ/ｍ2が好ましい。
【００１６】
不織布への着色は不織布繊維製造時にポリマーに着色剤たとえば、染料、有機顔料，無機顔料が、熱可塑性材料が溶融する前に、あるいは、溶融された後不織布ウェブが形成される前に添加によって行われる。または、不織布ウェブに凸版印刷、グラビア印刷、スクリーン印刷などによって適宜着色用インキを全面印刷することでもよい。
【００１７】
本発明で用いている「Ｌ*ａ*ｂ*表色系」とは、国際照明委員会（ＣＩＥ）で規格化され、ＪＩＳ-Ｚ８７２９に記載の表色系である。測定は、２５ｇ/ｍ2の着色不織布を４枚重ね、コニカミノルタ社製の色彩色差計ＣＲ４１０を用いて測定した値である。
【００１８】
本発明は上記した実施形態に限定されず、本発明の思想と範囲に含まれる様々な変形及び均等物に及ぶことはいうまでもない。
【符号の説明】
【００１９】
２                吸収体
４                トップシート
６                バックシート
８                サイドシート
１０              吸収本体部
２０              内装シート
２１              外装シート
１００、２００    パンツ型吸収性物品
１０１            腰部開口
１０２、１０３    一対の脚部開口
【図１】
2012170577.tif 000003
【図２】
2012170577.tif 000004